(57)【要約】      （修正有）【課題】トイレ用電灯をトイレ使用時のみ点灯し、消灯忘れを防止する自動点灯・消灯装置の提供。【解決手段】トイレ用電灯への電源供給をＯＮ／ＯＦＦする電気接点を設けたオルタネイトスイッチ装置１をトイレの扉２０の上方に位置する鴨居等の部材２１に取り付け、電灯取付用固定ソケットに、一対の配線７ａ，７ｂ間が前記オルタネイトスイッチ装置１の電気接点を介して互いに導通するように構成する。そして、扉２０を開くごとに前記オルトネイトスイッチ装置１を駆動してその電気接点をＯＮ／ＯＦＦ交互に切り換える。それによってトイレ用電灯をトイレ使用時のみ自動的に点灯し、トイレ不使用時には自動的に消灯する。【選択図】図６
2005302480.tif 000002
【特許請求の範囲】
【請求項１】
電灯への電源をＯＮ／ＯＦＦする電気接点を設けたオルタネイトスイッチ装置１を扉２０の周辺部に取り付け、前記扉２０を開くごとに前記オルタネイトスイッチ装置１を駆動してその電気接点がＯＮ／ＯＦＦ交互に切り換わるように構成した電灯の自動点灯・消灯装置において、
電灯取付用固定ソケットに、一端部の外周が着脱自在に螺着するねじ込みプラグ３１と、他端部内周に電灯を着脱自在に螺着するねじ込みソケット３２とを有する螺着型電源ソケットが用いられ、
前記ねじ込みプラグ３１の一方の極と、ねじ込みソケット３２の一方の極が互いに導通し、
前記ねじ込みプラグ３１の他方の極と、ねじ込みソケット３２の他方の極に夫々接続された一対の配線７ａ，７ｂが螺着型電源ソケットの外部に導かれ、
その一対の配線７ａ，７ｂ間が前記オルタネイトスイッチ装置１の電気接点を介して互いに導通するように構成したことを特徴とする電灯の自動点灯・消灯装置。
【請求項２】
請求項１において、
前記オルタネイトスイッチ装置１は、オルタネイトスイッチ２と、そのオルタネイトスイッチ２を取り付けた本体３と、本体３にスライド自在に装着したバネ付きの駆動体４を備え、扉２０を開いたときに前記駆動体４がバネ作用によりオルタネイトスイッチ２を駆動するようにスライドし、前記扉２０を閉じたときに前記駆動体４が元の位置に戻るようにスライドすることを特徴とする電灯の自動点灯・消灯装置。
【請求項３】
請求項１において、
前記オルタネイトスイッチ装置１は、オルタネイトスイッチ２と、そのオルタネイトスイッチ２を取り付けたバネ付きのヒンジ機構４０を備え、ヒンジ機構４０は２枚の板体４３，４４を有し、一方の板体４３がオルタネイトスイッチ２を取り付けた状態で前記扉２０の上方に配置した部材２１に固定され、前記扉２０を開いたときに該部材２１より下方に延長する他の板体４４がオルタネイトスイッチ２を駆動するように回動し、前記扉２０を閉じたときに他の板体４４がバネ作用により元の位置に戻るように回動することを特徴とする電灯の自動点灯・消灯装置。
【請求項４】
請求項１〜請求項３のいずれかにおいて、
前記ねじ込みプラグ３１の一方の極と、ねじ込みソケット３２の一方の極が互いに導通し、それらに一端が接続される第３配線７ｃと、
前記ねじ込みソケット３２の他方の極に接続された第４配線７ｄと、を有し、
第３配線７ｃおよび第４配線７ｄが外部に導かれ、それらがトイレ用ファンに連結されると共に、前記一対の配線７ａ，７ｂがトイレの扉２０に取付たオルタネイトスイッチ２に導かれたトイレ用電灯の自動点灯・消灯装置。
【請求項５】
請求項２に記載のオルタネイトスイッチ装置１を扉２０の周辺部に取り付ける方法であって、
前記本体３と駆動体４の間に装着可能な治具２３を用意し、前記駆動体４を扉２０が閉じた状態の位置にロックするため前記治具２３を前記本体３と駆動体４の間に装着するとともに、そのオルタネイトスイッチ装置１を扉２０の周辺部における取付位置に配置し、次にその扉２０を閉じた状態でオルタネイトスイッチ装置１を位置決めして前記周辺部に固定した後、前記治具２３を前記本体３と駆動体４の間から取り外すことを特徴とする取付方法。
【発明の詳細な説明】
【技術分野】
【０００１】
本発明は主としてトイレの扉の開閉動作に連動してトイレ用電灯を自動的に点灯または消灯する装置、および該装置の取付方法に関し、特に既設のトイレ用電灯に、後から誰でも容易に取り付けることができるものに関する。
【背景技術】
【０００２】
例えば一般家庭に設置されるトイレ内の天井面または壁面にはトイレ用電灯が設置され、そのトイレ用電灯への電源をＯＮ／ＯＦＦするためにトイレ用の扉付近の外側にスイッチが設けられる。そしてトイレを使用するごとにそのスイッチを操作し、トイレ用電灯を点灯または消灯している。
【０００３】
一方、テレビの電源スイッチのように、押釦を押すごとにその電気接点がＯＮ／ＯＦＦ交互に切り換わるオルタネイトスイッチが電気部品として周知であり、例えば特許文献１にその具体的構造の１例が記載されている。
【０００４】
【特許文献１】特開平１１−３１２４３８号公報
【発明の開示】
【発明が解決しようとする課題】
【０００５】
従来のトイレでは、その使用ごとにスイッチ操作をする必要があるので面倒である。またトイレ使用後の消灯忘れも起こりやすい。このような消灯忘れは電力の無駄使いや電灯の消耗の原因にもなる。そこで、このような場所に、前記スイッチに代えて、扉の開閉に連動するオルタネイトスイッチを設け、扉を開ける度ごとに電灯をＯＮ−ＯＦＦすることが考えられる。しかしながら、既存のトイレに新たにこのようなスイッチ回路を取り付ける場合には、天井配線等の変更が必要となり、面倒である。
そこで、本発明は従来のトイレ用電灯のソケットに簡単に取付られ、配線の容易な消灯忘れを解消できる新しい電灯の自動点灯・消灯装置を提供することを目的とする。また本発明はその自動点灯・消灯装置を構成するオルタネイトスイッチ装置を扉の周辺部に効率よく位置決めして取り付ける方法を提供することを目的とする。
【課題を解決するための手段】
【０００６】
請求項１に記載の本発明は、電灯への電源をＯＮ／ＯＦＦする電気接点を設けたオルタネイトスイッチ装置１を扉２０の周辺部に取り付け、前記扉２０を開くごとに前記オルタネイトスイッチ装置１を駆動してその電気接点がＯＮ／ＯＦＦ交互に切り換わるように構成した電灯の自動点灯・消灯装置において、
電灯取付用固定ソケットに、一端部の外周が着脱自在に螺着するねじ込みプラグ３１と、他端部内周に電灯を着脱自在に螺着するねじ込みソケット３２とを有する螺着型電源ソケットが用いられ、
前記ねじ込みプラグ３１の一方の極と、ねじ込みソケット３２の一方の極が互いに導通し、
前記ねじ込みプラグ３１の他方の極と、ねじ込みソケット３２の他方の極に夫々接続された一対の配線７ａ，７ｂが螺着型電源ソケットの外部に導かれ、
その一対の配線７ａ，７ｂ間が前記オルタネイトスイッチ装置１の電気接点を介して互いに導通するように構成したことを特徴とする電灯の自動点灯・消灯装置である。
【０００７】
請求項２に記載の本発明は、
請求項１において、
前記オルタネイトスイッチ装置１は、オルタネイトスイッチ２と、そのオルタネイトスイッチ２を取り付けた本体３と、本体３にスライド自在に装着したバネ付きの駆動体４を備え、扉２０を開いたときに前記駆動体４がバネ作用によりオルタネイトスイッチ２を駆動するようにスライドし、前記扉２０を閉じたときに前記駆動体４が元の位置に戻るようにスライドすることを特徴とする電灯の自動点灯・消灯装置である。
【０００８】
請求項３に記載の本発明は、
請求項１において、
前記オルタネイトスイッチ装置１は、オルタネイトスイッチ２と、そのオルタネイトスイッチ２を取り付けたヒンジ機構４０を備え、ヒンジ機構４０は２枚の板体４３，４４を有し、一方の板体４３がオルタネイトスイッチ２を取り付けた状態で前記扉２０の上方に配置した部材２１に固定され、前記扉２０を開いたときに該部材２１より下方に延長する他の板体４４がオルタネイトスイッチ２を駆動するように回動し、前記扉２０を閉じたときに他の板体４４が元の位置に戻るように回動することを特徴とする電灯の自動点灯・消灯装置である。
【０００９】
請求項４に記載の本発明は、
請求項１〜請求項３のいずれかにおいて、
前記ねじ込みプラグ３１の一方の極と、ねじ込みソケット３２の一方の極が互いに導通し、それらに一端が接続される第３配線７ｃと、
前記ねじ込みソケット３２の他方の極に接続された第４配線７ｄと、を有し、
第３配線７ｃおよび第４配線７ｄが外部に導かれ、それらがトイレ用ファンに連結されると共に、前記一対の配線７ａ，７ｂがトイレの扉２０に取付たオルタネイトスイッチ２に導かれたトイレ用電灯の自動点灯・消灯装置である。
【００１０】
請求項５に記載の本発明は、
請求項２に記載のオルタネイトスイッチ装置１を扉２０の周辺部に取り付ける方法であって、
前記本体３と駆動体４の間に装着可能な治具２３を用意し、前記駆動体４を扉２０が閉じた状態の位置にロックするため前記治具２３を前記本体３と駆動体４の間に装着するとともに、そのオルタネイトスイッチ装置１を扉２０の周辺部における取付位置に配置し、次にその扉２０を閉じた状態でオルタネイトスイッチ装置１を位置決めして前記周辺部に固定した後、前記治具２３を前記本体３と駆動体４の間から取り外すことを特徴とするオルタネイトスイッチ装置の取付方法である。
【発明の効果】
【００１１】
本発明の電灯の自動点灯・消灯装置によれば、トイレ等の使用時に最初に扉を開けると電灯が自動的に点灯し、扉を閉めてもその点灯状態を維持し、トイレ等の使用後に再び扉を開けると点灯していた電灯が自動的に消灯し、さらにその状態から扉を閉めてもその消灯状態を維持する。そのため従来のように、トイレ等の使用前および使用後にその都度スイッチ操作をする必要がない。またトイレ使用後の消灯忘れの問題も解消する。しかも、本発明は、電灯取付用固定ソケットに、一端部の外周が着脱自在に螺着するねじ込みプラグ３１と、他端部内周に電灯を着脱自在に螺着するねじ込みソケット３２とを有する螺着型電源ソケットが用いられ、一対の配線７ａ，７ｂがその螺着型電源ソケットの外部に導かれ、その一対の配線７ａ，７ｂ間が前記オルタネイトスイッチ装置１の電気接点を介して互いに導通するように構成したから、その取付および配線をすることが容易である。また、トイレ内等に設置した通常の電源ソケットを利用できるので、オルタネイトスイッチ装置を既設のトイレ内等に新設する場合においても、専用の電源コンセント等を新たに設置する必要がない。
【００１２】
上記自動点灯・消灯装置において、請求項２に記載のようにオルタネイトスイッチ装置を構成する場合には、扉の開動作がバネ付きの駆動体を介して本体に取り付けたオルタネイトスイッチに伝達され、それによってその電気接点がＯＮ−ＯＦＦ動作する。そのため扉を強く開いたような場合でも、その衝撃はバネの緩衝作用により緩和されるので、オルタネイトスイッチが大きな衝撃を受けて損傷することを防止できる。
【００１３】
上記自動点灯・消灯装置において、請求項３に記載のようにオルタネイトスイッチ装置を構成する場合は、簡単な構造で且つ安価にオルタネイトスイッチ装置を構成できる。
【００１４】
上記いずれかの自動点灯・消灯装置において、請求項４に記載のように構成すると、トイレ用ファンとトイレ用電灯とを、同時にＯＮ−ＯＦＦできる。
【００１５】
また請求項５に記載のようにオルタネイトスイッチ装置を治具によりトイレの扉周辺部に取り付ける方法を採用すると、請求項２に記載のオルタネイトスイッチの位置決めを容易に行うことができ、その施工時間を短縮することができる。
【発明を実施するための最良の形態】
【００１６】
次に図面により発明を実施するための最良の形態を説明する。
図１は本発明の装置に用いるオルタネイトスイッチ装置の平面図、図２は図１のＡ−Ａ断面図である。これらの図において、オルタネイトスイッチ装置１はオルタネイトスイッチ２と、そのオルタネイトスイッチ２を装着する本体３と、本体３にスライド自在に装着した駆動体４を備えている。
【００１７】
オルタネイトスイッチ２は、一端部に拡大直径部を設けた筒状のケース５とそれから軸方向に突出するスライド自在な被駆動体６を有し、ケース５の内部に被駆動体６に連結したスイッチ機構（図示せず）が収容される。被駆動体６はバネ体（図示せず）により常に突出する方向に付勢されており、その被駆動体６を右方向に押込むごとに、スイッチ機構の電気接点がＯＮまたはＯＦＦの状態に交互に切り換わる。なお電気接点の両端から延長する２本の配線７ａ，７ｂは後述する電源部３０（図８）に接続される。
【００１８】
図３はオルタネイトスイッチ２を装着する前の本体３の断面図である。本体３は細長い箱状に形成され、大きく開口した上部に配線引出用の欠切部８が形成され、長手方向の先端部の上側に円形の開口部９、下側にスリット形の開口部１０がそれぞれ形成される。さらに長手方向の後端部には円形の凸部１１が形成される。
【００１９】
図１，図２に示すように、オルタネイトスイッチ２は前記開口部９に挿入された状態でロックナット１２により本体３に着脱自在に装着される。また、本体３の幅方向の上部には水平方向に延長する２つの取付片１３が設けられ、それら取付片１３に形成した孔１４を利用してオルタネイトスイッチ装置１をトイレの扉の近傍に取り付けるようになっている。
【００２０】
図４は本体３に装着する前の駆動体４の図であり、図４（ａ）はその平面図、図４（ｂ）はその右側面図、図４（ｃ）は図４（ａ）のＣ−Ｃ断面図である。駆動体４は細長い方形の枠体１５を有し、図４（ｃ）に示すように、その枠体１５の先端縁の下部から断面Ｌ形の挿入体１６が後端部に向かって延長している。また枠体１５の後端部中央には円形の凸部１７が形成されている。
【００２１】
図１，図２に示すように、駆動体４は本体３に着脱自在に装着される。すなわち駆動体４の挿入体１６を本体３のスリット状の開口部１０に挿入することにより駆動体４の内側に本体３を配置することができ、その状態で本体３の凸部１１と駆動体４の凸部１７の間につる巻バネ等のバネ体１８を介在させることにより、駆動体４が本体３に着脱自在に装着される。
【００２２】
図５は図１に示すオルタネイトスイッチ装置１をトイレの扉の周辺部に取り付けた状態を拡大して示す部分的な正面図、図６はそのオルタネイトスイッチ装置１の付近を下方から見た図である。本実施形態ではトイレの扉２０内の上方において水平に設置される鴨居等の部材２１の下面にオルタネイトスイッチ装置１を取り付けている。具体的にはその駆動体４の後端面が扉２０の内面に接するようにして、本体３に設けた２つの取付片１３の孔１４に木ネジやビス等の固定具２２を挿入し、オルタネイトスイッチ装置１を部材２１に下方から固定している。
【００２３】
図７は本実施形態のオルタネイトスイッチ装置１を取り付けるための位置決め用の治具を示し、図７（ａ）はその平面図、図７（ｂ）はその側面図である。治具２３は底板２３ａとその両端部から垂直に延長する２枚の脚板２３ｂを有する。オルタネイトスイッチ装置１を所定位置に位置決めする際には、先ず図１に示す本体３の左端外面と駆動体４を構成する枠体１５の左端内面との間に治具２３の２枚の脚板２３ｂを、図の裏面側から装着することにより、駆動体４に装着したバネ体１８を圧縮状態にロックする。
【００２４】
次に治具２３を装着したオルタネイトスイッチ装置１を図５のように配置し、扉２０を閉じた状態で、その駆動体４の右端が扉２０の内面に接するように、部材２１の所定位置に位置決めする。するとバネ体１８が前記のように圧縮状態にロックされているので、駆動体４による扉２０への押し戻し力が働かない状態でオルタネイトスイッチ装置１を容易に固定できる。なおオルタネイトスイッチ装置１の固定作業が終了したら、治具２３を本体３の左端外面と枠体１５の左端内面との間から下方に取り外す。
【００２５】
図８は、本発明の主要部品を示す、トイレ用電灯への電源を供給する着脱自在な螺着型電源部の１例であり、図８（ａ）はその縦断面図、図８（ｂ）はその外観正面図である。電源部３０は、トイレの天井部や側壁に配線された１００Ｖの商用電源線（２本）に接続した電源ソケットに、すなわち本来トイレ用電灯に電源を供給するためトイレ内に配置したソケットに着脱自在に螺着するねじ込みプラグ３１と、トイレ用電灯（図示せず）を螺着するねじ込みソケット３２を有する。なお、ねじ込みソケット３２の底部はトイレ用等の電灯を挿入する開口部となっている。
【００２６】
ねじ込みプラグ３１は、黄銅等の金属製筒体で外周が螺旋状に曲折されたプラグ本体３１ａと、その上端に配置された絶縁性のプラグ押え３３と、そのプラグ押え３３の中心を貫通する導電性の固定ボルト３６とを有する。ねじ込みソケット３２は、その外側に設けられた電気絶縁性を有する樹脂製の保護ケース３４と、その保護ケース３４内に収納された金属製筒体で内周が螺旋状に曲折されたソケット本体３２ａと、前記導電性の固定ボルト３６の先端に接離自在に導通される導電性の接片３７とを有する。そしてプラグ本体３１ａとソケット本体３２ａは、絶縁性の横板３５により分離されている。固定ボルト３６はその横板３５を貫通し、その先端部がナット３８により締結されている。
【００２７】
絶縁性のプラグ押え３３を貫通する導電性の固定ボルト３６の先端は、電灯ソケットの一方の極を構成する接片３７に接離自在に導通される。他方の極を構成するソケット本体３２ａには、一方の配線７ｂの先端がハンダ付け等により接合され、他方の配線７ａの先端がプラグ本体３１ａにハンダ付け等により接合されている。そして一対の配線７ａ，７ｂの後端間に前記オルタネイトスイッチ２が接続されている。なお、配線７ａ，７ｂは保護ケース３４の側部に形成した配線引出部３９を通して外部に延長する。
【００２８】
次に前記各図を参照してオルタネイトスイッチ装置１によるトイレ用等の電灯の点灯・消灯作用について説明する。なお、既設のトイレに本装置を取付ける場合には、既設のトイレ用電灯スイッチはＯＮ状態のままにしておく。
そこで先ず、トイレの扉２０が閉じた状態でトイレ用電灯が消灯している場合（オルタネイトスイッチ２の電気接点がＯＦＦの場合）、トイレ使用時の最初において、図６の実線の状態から２点鎖線で示すように扉２０を開けると、オルタネイトスイッチ装置１の駆動体４が装着したバネ体１８の作用により２点鎖線で示すように右方へ移動する。すると駆動体４における枠体１５の先端内面によりオルタネイトスイッチ２の被駆動体６が右方に押圧されて駆動し、その電気接点がＯＮになってトイレ用電灯を点灯する。
【００２９】
次に、扉２０を閉じると前記駆動体４は図６の鎖線から実線の位置へ左方に移動し、オルタネイトスイッチ２の被駆動体６の押圧が解除される。しかしオルタネイトスイッチ２の電気接点はＯＮの状態を継続する。次にトイレ使用後に再び扉２０を開けると、前記と同様にオルタネイトスイッチ２の被駆動体６が右方に押圧されて駆動するが、今度はその駆動により電気接点がＯＦＦに戻る。次に扉２０を閉じても電気接点はＯＦＦの状態を継続する。
【００３０】
このように本実施形態では、トイレ使用ごとに扉２０が２回開閉動作することを利用し、トイレ用電灯をトイレ使用時だけ自動的に点灯し、トイレ使用後に自動的に消灯する。なおトイレを使用しないときに誤って扉２０を開閉したときは、もう一度扉２０を開閉すればトイレ用電灯を消灯状態にしておくことができる。
【００３１】
図９は、特に新設のトイレ用電灯の自動点灯・消灯装置を配線する場合に用いられるオルタネイトスイッチ装置をトイレの扉の周辺部分に取り付けた状態を示す部分拡大正面図、図１０は図９におけるヒンジ機構４０と扉２０の開閉動作の関係を説明する斜視図である。本実施形態のオルタネイトスイッチ装置１は、オルタネイトスイッチ２と、ヒンジ機構４０を備えており、オルタネイトスイッチ２はＬ型の取付部材４１を介してヒンジ機構４０に着脱自在に取り付けられる。
【００３２】
オルタネイトスイッチ２は段差を設けた筒状のケース５とそれから軸方向に突出するスライド自在な被駆動体６を有し、取付部材４１に形成した貫通孔に図９の下方からケース５をその段差部まで挿入し、その状態でロックナット１２により取付部材４１に固定している。ヒンジ機構４０は軸４２とその軸４２に回転自在に装着した２枚の板片４３、４４を有する。
【００３３】
図９に示すように、本実施形態のオルタネイトスイッチ装置１はトイレの扉２０の上方に設置された鴨居等の部材２１の側面もしくは端面に取り付けられる。すなわちオルタネイトスイッチ２を固定した取付部材４１とヒンジ機構４０の一方の板片４３にそれぞれ形成した孔を利用して木ネジもしくはビスで部材２１に固定される。このようなオルタネイトスイッチ装置１を従来の電灯用スイッチの代わりに取付け、トイレ内の電灯配線は通常どおりとすればよい。
【００３４】
次に上記オルタネイトスイッチ装置１の動作を説明する。図９のように扉２０が閉じた状態でオルタネイトスイッチ２の電気接点がＯＦＦになっている場合に、トイレの使用時に図１０のように扉２０を開くと垂直下方に位置していたヒンジ機構４０の他方の板片４４が扉２０で押圧される。すると他方の板片４４は矢印のように上方に９０度回動し、オルタネイトスイッチ２の被駆動体６を上方に押込んで電気接点をＯＮに切り換える。
【００３５】
その状態で扉２０を閉じるとヒンジ機構４０の他方の板片４４が再び垂直下方に戻り、オルタネイトスイッチ２の被駆動体６も元の位置に戻る。しかし電気接点はＯＮの状態を維持する。トイレの使用後に再び扉２０を開くと、前記と同様にヒンジ機構４０の他方の板片４４が扉２０で押圧されて上方に９０度回動し、オルタネイトスイッチ２の被駆動体６が上方に押込まれて電気接点がＯＦＦの状態に切り換わる。
【００３６】
次に扉２０を閉じると、前記と同様にヒンジ機構４０の他方の板片４４が垂直下方に戻ってオルタネイトスイッチ２の被駆動体６を元の位置に戻すが、電気接点はＯＦＦの状態を維持する。本実施形態においても、このようにトイレの使用ごとに２回の開閉する扉２０の動作を利用することにより、トイレ用電灯をトイレ使用時だけ自動的に点灯し、トイレ不使用時には自動的に消灯することができる。
【００３７】
次に、図１１は本発明の装置の第２の実施の形態を示す要部縦断面図、およびその正面図である。この装置はトイレの電灯とトイレ用ファンとを同時にＯＮ−ＯＦＦできるものである。
そのために、一方の極に接続される接片３７と第３配線７ｃの先端とが接続され、ねじ込みソケット３２のソケット本体３２ａと第４配線７ｄとが接続されている。第３配線７ｃおよび第４配線７ｄが外部に導かれ、それらの先端にコンセント４５が取り付けられている。そしてそのコンセント４５にトイレ用ファンのプラグが接続される。それと共に、前記一対の配線７ａ，７ｂがトイレの扉２０に取付けたオルタネイトスイッチ２に導かれ、トイレ用電灯およびトイレ用ファンの自動ＯＮ−ＯＦＦを行うものである。
【産業上の利用可能性】
【００３８】
本発明の電灯の自動点灯・消灯装置は、既設のトイレ用や倉庫用等の電灯に容易に取付けられるものであって、その使用時に自動的に点灯し、不使用時に自動的に消灯する装置に利用できる。
【図面の簡単な説明】
【００３９】
【図１】本発明の装置のオルタネイトスイッチ装置の実施形態の平面図。
【図２】図１のＡ−Ａ断面図。
【図３】図２に示すオルタネイトスイッチ２を装着する前の本体３の断面図。
【図４】図１，図２に示す本体３に装着する前の駆動体４のにおける（ａ）は平面図、（ｂ）は右側面図、（ｃ）は（ａ）Ｃ−Ｃ断面図。
【図５】図１に示すオルタネイトスイッチ装置１をトイレの扉の周辺部に取り付けた状態を拡大して示す部分的な正面図。
【図６】図５のオルタネイトスイッチ装置１の付近を下方から見た説明図。
【００４０】
【図７】図１のオルタネイトスイッチ装置１を取り付ける際の位置決め用の治具を示し、（ａ）はその平面図、（ｂ）はその側面図。
【図８】本発明の装置のトイレ用電灯への電源を供給する着脱自在な電源部の１例を示し、（ａ）はその縦断面図、（ｂ）はその外観正面図。
【図９】新設のトイレに適用されるオルタネイトスイッチ装置をトイレの扉の周辺部分に取り付けた状態を示す部分拡大正面図。
【図１０】図９におけるヒンジ機構と扉２０の開閉動作の関係を説明する斜視図。
【図１１】本発明の装置の第２の実施の形態を示し、（ａ）はその要部縦断面図、（ｂ）はその正面図。
【符号の説明】
【００４１】
１  オルタネイトスイッチ装置
２  オルタネイトスイッチ
３  本体
４  駆動体
５  ケース
６  被駆動体
７ａ，７ｂ    配線
７ｃ  第３配線
７ｄ  第４配線
８  欠切部
９，１０  開口部
【００４２】
１１  凸部
１２  ロックナット
１３  取付片
１４  孔
１５  枠体
１６  挿入体
１７  凸部
１８  バネ体
２０  扉
【００４３】
２１  部材
２２  固定具
２３  治具
２３ａ  底板
２３ｂ  脚板
３０  電源部
【００４４】
３１  ねじ込みプラグ
３１ａ  プラグ本体
３２  ねじ込みソケット
３２ａ  ソケット本体
３３  プラグ押え
３４  保護ケース
３５  横板
３６  固定ボルト
３７  接片
３８  ナット
３９  配線引出部
４０  ヒンジ機構
【００４５】
４１  取付部材
４２  軸
４３，４４  板片
４５  コンセント
【図１】
2005302480.tif 000003
【図２】
2005302480.tif 000004
【図３】
2005302480.tif 000005
【図４】
2005302480.tif 000006
【図５】
2005302480.tif 000007
【図６】
2005302480.tif 000008
【図７】
2005302480.tif 000009
【図８】
2005302480.tif 000010
【図９】
2005302480.tif 000011
【図１０】
2005302480.tif 000012
【図１１】
2005302480.tif 000013